(57)【要約】【課題】  磁気力を利用して経絡の障害を解消させる調節をすることにより、本来の健康を維持することを目的に、正確に使いやすい経絡調節具と方法を提供する。【解決手段】  ２５００〜７０００ガウスの強さを有する永久磁石で、直径３〜１５ｍｍ、厚さ３〜１０ｍｍの大磁石１と、直径３〜１０ｍｍ、厚さ１〜２ｍｍの小磁石２とを、両磁石が接合し、かつ小磁石のＮ極又はＳ極が経穴接触面として露出するように合成樹脂製ケース３に収納して調整用磁石ｅを形成し、露出した小磁石面をＮ極とした１個とＳ極とした１個とで一対となし、この一対は、経絡の流れる方向の経穴に順次Ｎ極とＳ極を配置して経絡補強調節具となし、逆に順次Ｓ極とＮ極を配置して緩和調節具となすようにし、両磁石には必要に応じて誘導鉄板４を渡すようにした。【選択図】      図２
2005328951.tif 000002
【特許請求の範囲】
【請求項１】
２５００〜７０００ガウスの強さを有する永久磁石で、直径３〜１５ｍｍ、厚さ３〜１０ｍｍの大磁石と、直径３〜１０ｍｍ、厚さ１〜２ｍｍの小磁石とを、両磁石が接合し、かつ小磁石のＮ極又はＳ極が経穴接触面として露出するように合成樹脂製ケースに収納して調整用磁石を形成し、露出した小磁石面をＮ極とした１個とＳ極とした１個とで一対となし、この一対は、経絡の流れる方向の経穴に順次Ｎ極とＳ極を配置して経絡補強調節具となし、逆に順次Ｓ極とＮ極を配置して緩和調節具となすように構成してなっている磁気力を利用した経絡調節具。
【請求項２】
小磁石の中心部に孔を形成し、一対の磁石間に渡って誘導鉄板を配設した構成を有する請求項１に記載の磁気力を利用した経路調節具。
【請求項３】
約３０００ガウスの強さを有する永久磁石で、直径３〜１５ｍｍ，厚さ３〜１０ｍｍの大磁石と、直径３〜１０ｍｍ、厚さ１〜２ｍｍの小磁石とからなる磁石を用いてなる請求項１又は２に記載の磁気力を利用した経絡調節具。
【請求項４】
請求項１乃至３に記載の経絡調節具を用い、経絡の流れる方向の経穴に順次Ｎ極とＳ極を配置して経絡補強調節具として用い、ＮＳ極を逆に配置して緩和調節具として用いるようにしてなる磁気力を利用した経絡調節方法。
【請求項５】
２５００〜７０００ガウスの強さを有する永久磁石で、直径３〜１５ｍｍ、厚さ３〜１０ｍｍの大磁石と、直径３〜１０ｍｍ、厚さ１〜２ｍｍの小磁石を準備し、これらを単独で使ったり大磁石と小磁石を結合させる手段として調節用磁石を構成する段階と、調節用磁石を構成する段階で合成樹脂製ケースを利用する手段と、小磁石に孔を開け接着テープと誘導鉄板を利用する手段が含まれ、かつ調節用磁石で経絡を調節することにおいては調節用磁石のＮ極とＳ極を経絡が流れる方向に配置された経穴に接触させるが、経絡を補強調節する時は経絡の流れる方向に調節用磁石の磁力線が形成されるようにＮ極とＳ極を接触させ、経絡を緩和調節する時にはその反対に磁力線が形成されるようにＮ極とＳ極を配置し、永久磁石の磁気力で経絡の流れを補強乃至緩和する手段を有してなる磁気力を利用した経絡調節方法。
【発明の詳細な説明】
【技術分野】
【０００１】
本発明は、永久磁石の磁気力を利用した経絡調節具及び調節方法に関するもので、より詳しくは、人体臓腑の経絡が流れる方向に合わせて選択された二つの経穴に調節用磁石の磁極を付着し、磁力線の力で経絡に流れるエネルギーを補強したり緩和させたりして、経絡の障害を解消させる経絡調節具及び調節方法に関する。
【背景技術】
【０００２】
人体は六臓像六腑（肝、心臓、心包、脾臓、肺、腎臓、胆、小腸、三焦、胃、大腸、膀胱）を有し、六臓六腑には各々経絡が形成され、当該経絡に障害が生じれば疾病が発生するが、この時に経絡にある経穴に針を打って治療することを経絡治療と言っている。人体には０．３〜０．５ガウス位の磁力が流れているということが現代科学で証明されているだけでなく、血液中のヘモグロビンは、ヘモという強磁性を帯びる鉄と、グロビンという蛋白質が結合され、ヘモが心臓を通過する時に、心臓から電流の影響を受けて強磁性のヘモとなり、酸素運搬と炭酸ガス排出という本来の機能を遂行する。健康を維持するためにはこのようなエネルギーが当該臓腑の固有機能に合うように衡平をなさなければならないことが知られている。
【０００３】
従来は、この問題を解決するために、所定大からなる鉄板に磁石を付着し、鉄板に付着した磁石の反対側を人体の経絡に付着させる方法で経絡障害を解消させてきたが、経絡地点の距離が一定しているわけではないので、使用し難く、磁石の強さの調節も不便で経絡に流れるエネルギーを補強したり緩和させたりすることができ難いという欠点があった。
【特許文献１】特開平８−１５０２２３号公報
【発明の開示】
【発明が解決しようとする課題】
【０００４】
本発明は、上記欠点を解消し、磁石の磁気力を利用して経絡の障害を解消させる調節をすることによって、本来の健康を維持することを目的に、正確に使いやすい経絡調節具及び調節方法を提供せんとするものである。
【課題を解決するための手段】
【０００５】
上記課題を解決するために、本発明は、２５００〜７０００ガウスの強さを有する永久磁石で、直径３〜１５ｍｍ、厚さ３〜１０ｍｍの大磁石と、直径３〜１０ｍｍ、厚さ１〜２ｍｍの小磁石とを、両磁石が接合し、かつ小磁石のＮ極又はＳ極が経穴接触面として露出するように合成樹脂製ケースに収納して調整用磁石を形成し、露出した小磁石面をＮ極とした１個とＳ極とした１個とで一対となし、この一対は、経絡の流れる方向の経穴に順次Ｎ極とＳ極を配置して経絡補強調節具となし、逆に順次Ｓ極とＮ極を配置して緩和調節具となすようにして、磁気力を利用した経絡調節具を構成したことを特徴とするものである。
上記小磁石の中心部に孔を形成すれば、磁気力を孔の方へもっと集中できて好ましい。一対の磁石間に渡って適宜長さ例えば４〜８ｃｍ程度の長さの誘導鉄板を配設すれば、調整用磁石の磁力線を確実に誘導できて好ましい。
磁気力の強さは上記ガウスの境界前後を含むものである。好ましい実施例として約３０００ガウスを挙げることができる。
【０００６】
また、本発明は、上記経絡調節具を用い、経絡の流れる方向の経穴に順次Ｎ極とＳ極を配置して経絡補強調節具として用い、ＮＳ極を逆に配置して緩和調節具として用いるようにしてなる磁気力を利用した経絡調節方法も特徴とするものである。
さらに、本発明は、２５００〜７０００ガウスの強さを有する永久磁石で、直径３〜１５ｍｍ、厚さ３〜１０ｍｍの大磁石と、直径３〜１０ｍｍ、厚さ１〜２ｍｍの小磁石を準備し、これらを単独で使ったり大磁石と小磁石を結合させる手段として調節用磁石を構成する段階と、調節用磁石を構成する段階で合成樹脂製ケースを利用する手段と、小磁石に孔を開け接着テープと誘導鉄板を利用する手段が含まれ、かつ調節用磁石で経絡を調節することにおいては調節用磁石のＮ極とＳ極を経絡が流れる方向に配置された経穴に接触させるが、経絡を補強調節する時は経絡の流れる方向に調節用磁石の磁力線が形成されるようにＮ極とＳ極を接触させ、経絡を緩和調節する時にはその反対に磁力線が形成されるようにＮ極とＳ極を配置し、永久磁石の磁気力で経絡の流れを補強乃至緩和する手段を有してなる磁気力を利用した経絡調節方法も対象としている。
【０００７】
この調節方法においては、磁石を約３０００ガウスの強さのものを用いるものとするのも好ましい。上記合成樹脂正ケースを利用する手段は、磁石２個一対となり、各々の磁石は合成樹脂製ケースに大磁石と小磁石を収納させ、小磁石のＮ極が露出する磁石とＳ極が露出する磁石に区分させるものとすることができる。
【発明の効果】
【０００８】
本発明によれば、永久磁石の適正な強さの磁気力を利用して、人体臓腑の当該経絡に流れるエネルギーの流れを補強したり緩和させる調節ができるので、人体臓腑の経絡障害を効果的に解消させることができ、かつこれを容易に実施し持続させることができるようにしたので、健康状態の経路を維持できるようになる。
【０００９】
したがって、本発明は唾や薬物注射とは違い、看者にとって心的に或いは肉体的に苦痛を与えない無痛調節を提供でき、これを通して経絡障害を解消し、乳児から老弱者に至るまで幅広く調節方法を適用させることができる。長期間の使用に対する耐性や副作用が無いという長所があり、低費用で調節できる利点がある。
【００１０】
磁石は大磁石と小磁石を準備しこれらを使用することによって、磁石の強さを高めることができるだけではなく、磁力を経穴に集中させることができ、小磁石の中心部に孔を開けて使用することによって、磁石の力を孔の方へもっと集中できるという効果がある。誘導鉄板を使用すれば、経絡に流れるエネルギーの方向を正確に誘導することができるという利点があるので、遠距離にある経穴間のエネルギーも調節可能となるで、さらに効果的に臓腑機能調節効果を高めることができる。
なお、接着テープを使えば、血液の流れに障害を与えずに磁石を付着させ固定することができるので、長時間調節を必要とする場合、安全かつ便利に使用することができる利点が得られる。
【発明を実施するための最良の形態】
【００１１】
以下、図面によって、本発明の一実施例を説明する。
図１は本発明に係る磁石としての構成体の分解斜視図、図２はこの磁石の断面及び経絡調整方法を示している。
【００１２】
磁石（調整用磁石）ｅは、所定大きさの大磁石１（永久磁石）と小磁石２（永久磁石）とを合成樹脂製ケース３内にＮＳ極が接触する結合状態で収納し、小磁石のＮ極又はＳ極が経穴に接触可能なようにケース一端に露出して配設したものである。当該ケース３は、大磁石１を一杯に収納する空洞の筒形一端側に、開口付きフランジを形成してあり、大磁石１はＳ極がフランジ反対側に向いて露出するように筒形内に収納され、小磁石２はＮ極がフランジ外側に露出しＳ極が大磁石１と接合するようにしてフランジ開口内に収納されている。経絡調節具は、上記ＮＳ極を正逆に形成した磁石ｅの２個を一対とし使用されるものである。
【００１３】
上記２個一対の調整用磁石ｅは、それぞれ所定の経穴に正確に接触させて、接着テープ５例えば両面粘着テープを介して固定し或いは片面粘着テープで固定して使用に供するのが好ましい。また、２個の磁石ｅを所定位置に設定した状態において、両磁石の大磁石１の露出面側に誘導鉄板４があてがわれており、接着テープ５その他の固定手段で両者が固定されていて、使用に供されるようにすることができる。
【００１４】
図３以下の調節方法は、直径９ｍｍ、厚さ３ｍｍ、３０００ガウスの強さを有する大磁石１と、直径５ｍｍ、厚さ１．５ｍｍ、３０００ガウスの強さを有した小磁石２をケース３に収納してなる磁石の２個一対を用い、２個をそれぞれ所定の経穴に接触する位置に接着テープ５で固定して使用に供した経絡補強調整例を示してある。
嵩張らず、安定して、簡便に使用でき、しかも正確に所要の経穴に当てて経絡の調節ができた。
【００１５】
（１）肺経絡補強調節法
図３の如く、肺経絡太淵穴或いは尺沢穴に１対の一方の磁石Ｎ極を接触させ、経絡端の少商穴に他方の磁石Ｓ極を接触させ、２０〜１２０分間接触状態を維持させるのが好ましい。
（２）肝経絡補強調節法
図４の如く、肝経絡大敦穴に一方の磁石Ｎ極を接触させ、太衝穴或いは曲泉穴に他方の磁石Ｓ極を接触させ、２０〜１２０分間接触状態を維持させるのが好ましい。
（３）心臓経絡補強調節法
図５の如く、心臓経絡神門穴或いは少海穴に一方の磁石Ｎ極を接触させ、少衝穴に他方の磁石Ｓ極を接触させ、２０〜１２０分間接触状態を維持させるのが好ましい。
【００１６】
（４）心包経絡補強調節法
図６の如く、心包経絡大陵穴或いは曲沢穴に一方の磁石Ｎ極を接触させ、中衝穴に他方の磁石Ｓ極を接触させ、２０〜１２０分間接触状態を維持させるのが好ましい。
（５）脾臓経絡補強調節法
図７の如く、脾臓経絡隠白穴に一方の磁石Ｎ極を接触させ、太白穴或いは陰陵泉穴に他方の磁石Ｓ極を接触させ、２０〜１２０分間接触状態を維持させるのが好ましい。
（６）腎臓経絡補強調節法
図８の如く、腎臓経絡湧泉穴に一方の磁石Ｎ極を接触させ、太谿穴或いは陰谷穴に他方の磁石Ｓ極を接触させ、２０〜１２０分間接触状態を維持させるのが好ましい。
【００１７】
（７）胆経絡補強調節法
図９の如く、胆経絡丘墟穴或いは陽陵泉穴に一方の磁石Ｎ極を接触させ、竅陰穴に他方の磁石Ｓ極を接触させ、２０〜１２０分間接触状態を維持させるのが好ましい。
（８）小腸経絡補強調節法
図１０の如く、小腸経絡少沢穴に一方の磁石Ｎ極を接触させ、後谿穴或いは少海穴に他方の磁石Ｓ極を接触させ、２０〜１２０分間接触状態を維持させるのが好ましい。
（９）三焦経絡補強調節法
図１１の如く、三焦経絡関衝穴に一方の磁石Ｎ極を接触させ、陽池穴或いは天井穴に他方の磁石Ｓ極を接触させ、２０〜１２０分間接触状態を維持させるのが好ましい。
【００１８】
（１０）胃経絡補強調節法
図１２の如く、胃経絡足三里穴或いは解谿穴に一方の磁石Ｎ極を接触させ、勵兌穴に他方の磁石Ｓ極を接触させ、２０〜１２０分間接触状態を維持させるのが好ましい。
（１１）大腸経絡補強調節法
図１３の如く、大腸経絡商陽穴に一方の磁石Ｎ極を接触させ、陽谿穴或いは曲池穴に他方の磁石Ｓ極を接触させ、２０〜１２０分間接触状態を維持させるのが好ましい。
（１２）膀胱経絡補強調節法
図１４の如く、膀胱経絡委中穴或いは崑崙穴に一方の磁石Ｎ極を接触させ、至陰穴に他方の磁石Ｓ極を接触させ、２０〜１２０分間接触状態を維持させるのが好ましい。
【００１９】
そして図示していないが、経絡の補強調節と反対となる経絡緩和調節の場合は、当該経絡の流れる方向に対して逆行する方向、すなわち上記例とは逆に調整磁石の磁力線が形成されるように、Ｓ極とＮ極をそれぞれの経穴に接触させて調節することによって、経絡の緩和調節が可能となる。
【図面の簡単な説明】
【００２０】
【図１】本発明に係る構成体の分解斜視図である。
【図２】本発明に係る調節用磁石を断面で示した作用図である。
【図３】本発明に係る調節用磁石を用いた肺経絡補強調節図である。
【図４】同じく肝経絡補強調節図である。
【図５】心臓経絡補強調節図である。
【図６】心包経絡補強調節図である。
【図７】脾臓経絡補強調節図である。
【図８】腎臓経絡補強調節図である。
【図９】胆経絡補強調節図である。
【図１０】小腸経絡補強調節図である。
【図１１】三焦経絡補強調節図である。
【図１２】胃経絡補強調節図である。
【図１３】大腸経絡補強調節図である。
【図１４】膀胱経絡補強調節図である。
【符号の説明】
【００２１】
ｅ      磁石
１      大磁石
２      小磁石
３      合成樹脂製ケース
４      誘導鉄板
５      接着テープ
【図１】
2005328951.tif 000003
【図２】
2005328951.tif 000004
【図３】
2005328951.tif 000005
【図４】
2005328951.tif 000006
【図５】
2005328951.tif 000007
【図６】
2005328951.tif 000008
【図７】
2005328951.tif 000009
【図８】
2005328951.tif 000010
【図９】
2005328951.tif 000011
【図１０】
2005328951.tif 000012
【図１１】
2005328951.tif 000013
【図１２】
2005328951.tif 000014
【図１３】
2005328951.tif 000015
【図１４】
2005328951.tif 000016